(57)【要約】【課題】美観を向上しかつ壁面への取付部に被せるカバーの管理が容易なブラケットを提供する。【解決手段】ブラケット１０は、壁面に固定される取付部１２、棒状体を保持するための保持部１４、取付部１２と保持部１４とを連結する連結部１６、および取付部１２に被せられるカバー１８を備える。取付部１２は、ブラケット１０を壁面に取り付ける際に用いるボルト３４が挿通される取付孔２０を有する。カバー１８は、連結部１６を挿通するための挿通孔２２を有し、ブラケット１０を壁面に取り付ける際には挿通孔２２に連結部１６を挿通することによって連結部１６に保持され、ブラケット１０を壁面に取り付けた後は取付部１２に被せられる。【選択図】図１
2011052446.tif 000002
【特許請求の範囲】
【請求項１】
固定部材によって壁面に取り付けられかつ棒状体を保持するブラケットであって、
前記固定部材が挿通される取付孔を有し前記壁面に固定される取付部と、
前記棒状体を保持するための保持部と、
前記取付部と前記保持部とを連結する連結部と、
前記連結部を挿通するための挿通孔を有し、当該ブラケットを前記壁面に取り付ける際には前記挿通孔に前記連結部を挿通することによって前記連結部に保持され、当該ブラケットを前記壁面に取り付けた後は前記取付部に被せられるカバーとを備える、ブラケット。
【請求項２】
前記挿通孔に前記連結部を挿通した状態で前記カバーが前記連結部を軸として回転可能となるように前記カバーおよび前記連結部が形成され、前記カバーの少なくとも一部における前記挿通孔の縁から前記カバーの外縁までの距離が、前記連結部の縁から前記取付孔の縁までの距離よりも短い、請求項１に記載のブラケット。
【請求項３】
前記連結部における軸方向に直交する断面および前記挿通孔の形状は円形である、請求項２に記載のブラケット。
【請求項４】
前記連結部における軸方向に直交する断面および前記挿通孔の形状は同形の正多角形であり、前記連結部は全ての対角線が前記挿通孔の一辺の長さよりも短い前記断面を有する、請求項２に記載のブラケット。
【請求項５】
前記カバーは円環状に形成され、前記連結部は細径部を有し、前記細径部は、前記カバーの内縁を前記細径部に接触させたとき、前記固定部材が挿入される方向から見て前記取付部の取付孔が露出するように構成される、請求項１に記載のブラケット。
【請求項６】
前記カバーは前記取付部に被せられたときに前記カバーと前記連結部との間に隙間を有するように構成され、当該ブラケットは前記隙間を埋めるためのシール部材をさらに備える、請求項１から５のいずれかに記載のブラケット。
【発明の詳細な説明】
【技術分野】
【０００１】
この発明はブラケットに関し、より特定的には、ブラケットを壁面に取り付けるための取付部に被せるカバーを備えるブラケットに関する。
【背景技術】
【０００２】
手摺り等を壁面に取り付ける際には、バーをブラケットに保持させ、そのブラケットを壁面に取り付けるのが一般的である。ブラケットを壁面に取り付けるためには、壁面への取付部をボルトによって壁面に固定する。従来は、ボルトの頭部が露出したままであったため、ブラケットの体裁が悪いという欠点があった。
【０００３】
特許文献１には、パイプを支持するための支柱、およびその支柱の壁面への取付部に被せるカバーが開示されている。このカバーは２つに分割されており、ボルトを用いて支柱を壁面に取り付けた後、分割されたカバーを結合させて取付部に被せることでボルトの頭部を覆い隠すことができる。
【０００４】
特許文献２には、ブラケットを壁面に取り付ける際に使用するボルトの頭部を隠すためのカバー部材が開示されている。このカバー部材は、ブラケットを壁面へ取り付けるための取付片の上部に被せる部材、および取付片の下部に被せる部材からなり、両部材を結合させて取付片を覆うことでボルトの頭部を隠すことができる。
【先行技術文献】
【特許文献】
【０００５】
【特許文献１】意匠登録第１２７４１３２号
【特許文献２】特開２００４−１６９５３１号
【発明の概要】
【発明が解決しようとする課題】
【０００６】
しかしながら、特許文献１のカバーは分割されているため、カバーを取付部に被せるとカバーに結合の継ぎ目ができてしまう。また、特許文献２のカバーは、２つの部材を結合させて取付片を覆うため、２つの部材の間に結合の継ぎ目ができてしまう。よって、特許文献１および２のカバーではブラケットの美観が損なわれてしまう。また、カバーをブラケットの他の部材から取り外していなければブラケットを壁面に取り付けられないため、ブラケットを壁面に取り付ける際には、カバーとブラケットの他の部材とは別体になる。そのため、カバーをブラケットの他の部材とは別に管理しなければならず、カバーを紛失してしまう可能性がある。
【０００７】
それゆえに、この発明の主たる目的は、美観を向上しかつ壁面への取付部に被せるカバーの管理が容易なブラケットを提供することである。
【課題を解決するための手段】
【０００８】
上述の目的を達成するために、請求項１に記載のブラケットは、固定部材によって壁面に取り付けられかつ棒状体を保持するブラケットであって、固定部材が挿通される取付孔を有し壁面に固定される取付部と、棒状体を保持するための保持部と、取付部と保持部とを連結する連結部と、連結部を挿通するための挿通孔を有し、ブラケットを壁面に取り付ける際には挿通孔に連結部を挿通することによって連結部に保持され、ブラケットを壁面に取り付けた後は取付部に被せられるカバーとを備える。
【０００９】
請求項２に記載のブラケットは、請求項１に記載のブラケットにおいて、挿通孔に連結部を挿通した状態でカバーが連結部を軸として回転可能となるようにカバーおよび連結部が形成され、カバーの少なくとも一部における挿通孔の縁からカバーの外縁までの距離が、連結部の縁から取付孔の縁までの距離よりも短いことを特徴とする。
【００１０】
請求項３に記載のブラケットは、請求項２に記載のブラケットにおいて、連結部における軸方向に直交する断面および挿通孔の形状は円形であることを特徴とする。
【００１１】
請求項４に記載のブラケットは、請求項２に記載のブラケットにおいて、連結部における軸方向に直交する断面および挿通孔の形状は同形の正多角形であり、連結部は全ての対角線が挿通孔の一辺の長さよりも短い断面を有することを特徴とする。
【００１２】
請求項５に記載のブラケットは、請求項１に記載のブラケットにおいて、カバーは円環状に形成され、連結部は細径部を有し、細径部は、カバーの内縁を細径部に接触させたとき、固定部材が挿入される方向から見て取付部の取付孔が露出するように構成されることを特徴とする。
【００１３】
請求項６に記載のブラケットは、請求項１から５のいずれかに記載のブラケットにおいて、カバーは取付部に被せられたときにカバーと連結部との間に隙間を有するように構成され、ブラケットは隙間を埋めるためのシール部材をさらに備えることを特徴とする。
【００１４】
請求項１に記載のブラケットでは、取付部に被せるカバーは、連結部を挿通するための挿通孔を有する。ブラケットが壁面に取り付けられる際、挿通孔には連結部が挿通されており、連結部の両端には、それぞれ挿通孔よりも大きい取付部および保持部が接続されている。したがって、カバーは連結部から外れることがなく連結部に保持される。つまりカバーとブラケットの他の部材とは一体になるため、カバーの紛失を防止でき、カバーの管理が容易になる。また、ブラケットを壁面に取り付けた後、カバーを連結部に沿って移動させるだけで取付部にカバーを被せることができる。よって、カバーを一点部品とすることができるので、カバーに結合の継ぎ目は生じ得ず、ブラケットの美観を向上させることができる。
【００１５】
請求項２に記載のブラケットでは、カバーが、挿通孔に連結部を挿通した状態で連結部を軸として回転可能である。また、カバーの少なくとも一部には、挿通孔の縁からカバーの外縁までの距離が、連結部の縁から取付部の取付孔の縁までの距離よりも短い箇所がある。そのため、連結部を軸としてカバーを回転させることによって、取付孔を露出させることができる。よって、ブラケットを壁面に取り付ける際、カバーに遮られることなく取付孔にボルトなどの固定部材を挿通させることができる。したがって、ブラケットを壁面に取り付ける作業が容易になる。
【００１６】
請求項３に記載のブラケットでは、連結部の断面形状および挿通孔の形状をともに円形にすることによって、連結部を軸としてカバーを回転可能とする構成が容易に得られる。
【００１７】
請求項４に記載のブラケットでは、連結部が、全ての対角線がカバーの挿通孔の一辺の長さよりも短い断面を有するため、連結部を軸としてカバーを回転させることができる。したがって、カバーおよび連結部の形状のバリエーションを増やすことができ、様々な美観のブラケットが得られる。
【００１８】
請求項５に記載のブラケットでは、円環状のカバーの内縁を連結部の細径部に接触させたとき、取付部の取付孔に挿通されるボルトなどの固定部材の挿入方向から見て取付孔が露出する。したがって、細径部にカバーを保持させていれば、カバーに遮られることなく取付孔にボルトなどの固定部材を挿通することができる。よってブラケットを壁面に取り付ける作業が容易になる。
【００１９】
請求項６に記載のブラケットでは、シール部材を備えることにより、カバーを取付部に被せた際、カバーと連結部との隙間を埋めることができる。そのため、カバーの挿通孔を大きくすることができるので、カバーの内縁からカバーの外縁までの距離を小さくすることができる。したがって、取付孔に挿通されるボルトなどの固定部材の挿入方向から見て取付部の取付孔を露出させやすくなり、取付孔にボルトなどの固定部材を挿通することがより容易になる。また、カバーとシール部材との色を異ならせることによって、ツートンカラーのブラケットが得られる。
【発明の効果】
【００２０】
この発明によれば、ブラケットの壁面への取付部に被せるカバーに結合の継ぎ目はなく、美観が向上したブラケットを得ることができる。また、カバーとブラケットの他の部材とを一体ものにし、カバーの管理が容易なブラケットを得ることができる。
【図面の簡単な説明】
【００２１】
【図１】この発明の一実施形態のブラケットを示す斜視図である。
【図２】各部に分解された図１のブラケットを示す分解斜視図である。
【図３】ボルトによって壁面に取り付けられる図１のブラケットを示す斜視図である。
【図４】保持部側から見た図１のブラケットを示す平面図である。
【図５】壁面に取り付けられ保持部に棒状体を保持させた図１のブラケットを示す斜視図である。
【図６】保持部を回転させた図１のブラケットを示す斜視図である。
【図７】この発明の他の実施形態のブラケットを示す斜視図である。
【図８】図７のブラケットのＡ−Ａ断面を示す断面図である。
【図９】この発明のその他の実施形態のブラケットを示す斜視図である。
【図１０】各部に分解された図９のブラケットを示す分解斜視図である。
【図１１】保持部側から見た図９のブラケットを示す平面図である。
【図１２】この発明のさらにその他の実施形態のブラケットを示す斜視図である。
【発明を実施するための形態】
【００２２】
以下、この発明の実施形態について図面を参照して説明する。
図１は、この発明の一実施形態のブラケット１０の斜視図である。ブラケット１０は、壁面Ｗ（図３参照）に固定される取付部１２、棒状体Ｂ（図５参照）を保持するための保持部１４、取付部１２と保持部１４とを連結する連結部１６、および取付部１２に被せられるカバー１８を備える。取付部１２は、ブラケット１０を壁面Ｗに取り付ける際に用いる固定部材としてのボルト３４（図３参照）が螺入される取付孔２０を２つ有する。また、カバー１８は連結部１６を挿通するための挿通孔２２を有する。
【００２３】
次に図２を参照して、ブラケット１０の各部の詳細な形状を説明する。
図２は、図１のブラケット１０の分解斜視図である。なお、この実施形態においては保持部１４と連結部１６とは一体的に形成されている。
【００２４】
取付部１２は、壁面Ｗに接触する面を底面として上から見た形状は長方形である。上面は長方形の長手方向に３分割された３つの面を含み、３つの面において両端に位置する２つの傾斜面２４は、長方形の短辺に向かうにつれ底面側に傾斜し、長方形の短辺側に取付孔２０を有する。２つの傾斜面２４の間の平面２６では、連結部１６の底面が接続される部分がわずかに凹んでおり、その中心には取付部１２と連結部１６とを接続するための固定部材としてのボルト２８が螺入される接続孔３０が設けられる。
【００２５】
保持部１４は両端開口かつ中ほどが外側に膨らんだ略円筒形に形成され、棒状体Ｂを通すことができる。連結部１６は円錐台状に形成され、上面は保持部１４と一体化され、下面には取付部１２が接続される。連結部１６はボルト２８を螺入するための接続穴３２を有する。取付部１２と連結部１６とは、取付部１２の接続孔３０にボルト２８を取付部１２の底面側から挿入し、接続孔３０から出たボルト２８を連結部１６の接続穴３２に螺入することで接続される。
【００２６】
カバー１８は、取付部１２と同様の外形で、上面に連結部１６を挿通するための挿通孔２２を有し、底面は開口している。また、カバー１８は内側に、取付部１２を側面から挟むように配置された２つの凸部を有する。カバー１８を取付部１２に被せる際、この２つの凸部が取付部１２を挟み込み、カバー１８は取付部１２に固着される。挿通孔２２は連結部１６の下面とほぼ同じ大きさであり、取付部１２および保持部１４に比べて小さいので、取付部１２および保持部１４は挿通孔２２を通ることができない。そのため、挿通孔２２に連結部１６を挿通し、保持部１４と一体化されている連結部１６の下面に取付部１２を接続すると、カバー１８は連結部１６から外れなくなり連結部１６に保持される。また、カバー１８は、取付部１２が壁面Ｗに固定されているとき、取付部１２に被せられ、取付部１２の露出する全面を覆う。
【００２７】
次に、図３、図４および図５を参照して、ブラケット１０の具体的用法を説明する。
図３は、ブラケット１０を壁面Ｗに取り付ける際のブラケット１０を示す斜視図である。取付部１２の取付孔２０を見やすくするために、連結部１６に保持されているカバー１８は一点鎖線で示される。
【００２８】
まず、ブラケット１０の取付部１２の底面を壁面Ｗに当てる。そして、取付部１２の取付孔２０に、取付部１２を壁面Ｗに固定するためのボルト３４を螺入する。ここで、連結部１６は軸方向に直交する断面が円形に形成されており、カバー１８の挿通孔２２は円形であるため、カバー１８は連結部１６を軸として回転することができる。
【００２９】
図４に、保持部１４側から見たブラケット１０を示す。図４では説明の便宜上、保持部１４を一点鎖線で示し、保持部１４に重なっている連結部１６およびカバー１８が見えるようにしている。また、後述する距離Ｄ１およびＤ２を明確に示すため、連結部１６の直径よりもカバー１８の挿通孔２２の直径を大きく表示している。
【００３０】
図４に示されるようにブラケット１０におけるカバー１８には、挿通孔２２の縁からカバー１８の外縁までの距離Ｄ１が、連結部１６の縁から取付孔２０の縁までの距離Ｄ２よりも短い箇所がある。そのため、連結部１６を軸としてカバー１８を回転させると、取付部１２の端部に設けられた取付孔２０がボルト３４の螺入方向から見て露出する。よって、ボルト３４を取付孔２０に螺入すること、およびその締め付け作業においては、カバー１８が邪魔にはならず、ブラケット１０を壁面Ｗに取り付けることは容易である。
ボルト３４を螺入し締め付けることで取付部１２を壁面Ｗに固定した後、カバー１８を取付部１２に向かって移動させ、取付部１２に被せる。カバー１８を壁面Ｗ方向に押し込むと、カバー１８の内側に設けられた２つの凸部が取付部１２を側面から挟み込み、カバー１８は取付部１２に固着される。こうしてブラケット１０の壁面Ｗへの取り付けが完了する。
【００３１】
図５は、ブラケット１０を壁面Ｗに取り付けた後カバー１８を取付部１２に被せ、保持部１４に棒状体Ｂを保持させた状態を示す斜視図である。このようにカバー１８を取付部１２に被せることで、取付部１２を壁面Ｗに固定するためのボルト３４の頭部を覆い隠すことができる。
【００３２】
ブラケット１０によれば、取付部１２にカバー１８を被せる際、カバー１８の挿通孔２２には連結部１６が挿通されている。挿通孔２２は保持部１４を通すことができないため、挿通孔２２に連結部１６が挿通されていなければ、カバー１８を分割するなどして挿通孔２２を開放し、挿通孔２２が連結部１６を囲うようにカバー１８を結合しなければならない。しかし、挿通孔２２には既に連結部１６が挿通されているため、カバー１８を分割する必要はなく、カバー１８は一点部品で構成することができる。よって、カバー１８は継ぎ目等のない滑らかな表面を有することができるので、カバー１８を取付部１２に被せることで、ブラケット１０の美観を向上させることができる。
【００３３】
また、挿通孔２２に連結部１６を挿通し、連結部１６の下面に取付部１２を接続すると、カバー１８は連結部１６に保持され、ブラケット１０の他の部材と別体になることがない。よって、カバー１８の紛失を防止でき、カバー１８の管理が容易になる。たとえば、ブラケット１０を壁面Ｗに取り付けた後、取付部１２を壁面Ｗに固定しているボルト３４のゆるみを点検するときなどは、カバー１８を取付部１２から外す必要があるが、カバー１８を取付部１２から外してもカバー１８は連結部１６に保持される。そのため、カバー１８はブラケット１０の他の部材と別体にはならず、カバー１８が紛失する可能性は生じない。ブラケット１０を壁面Ｗから取り外すときも同様である。よって、連結部１６にカバー１８を保持した状態のブラケット１０は、壁面Ｗに取り付けていないときでも、取付部１２と保持部１４と連結部１６とカバー１８とを一体として保管しておくことができる。
【００３４】
さらに、連結部１６の軸方向に直交する断面形状および挿通孔２２の形状をともに円形にすることによって、連結部１６を軸としてカバー１８を回転可能とする構成が容易に得られる。
【００３５】
図６は、ブラケット１０において保持部１４の向きを９０度回転させた状態を示す斜視図である。ブラケット１０では、取付部１２に対する連結部１６の取り付け位置を調節することで、保持部１４の向きを変えることもできる。
【００３６】
図７に、この発明の他の実施形態のブラケット１０ａを示す。
ブラケット１０ａの連結部３６は、連結部３６の底面に垂直な方向を軸方向として、軸方向に直交する断面が正方形の角錐台状に形成されている。連結部３６に保持されるカバー３８の、連結部３６を挿通する挿通孔４０は、連結部３６の断面形状と同様に正方形である。ブラケット１０ａのその他の構成については、図１に示したブラケット１０と同様であり、重複する説明は省略する。
【００３７】
図８は、ブラケット１０ａのＡ−Ａ断面を示す断面図であり、連結部３６の軸方向に直交する断面およびその軸方向から見たカバー３８が示される。また、図８には挿通孔４０の一辺４２および連結部３６の断面の対角線４４が矢印で示される。ここで連結部３６が、上記の対角線４４が挿通孔４０の一辺４２よりも短いような断面を有していれば、カバー３８は連結部３６を軸として回転することができる。これは、連結部３６の上記断面および挿通孔４０の形が他の正多角形であっても同様である。つまり、上記断面および挿通孔４０の形が円形でなくてもカバー３８を回転させることができる。よって、連結部３６およびカバー３８の形状のバリエーションを増やすことができ、様々な美観のブラケット１０ａを得ることができる。
【００３８】
次に、図９および図１０を参照して、この発明のその他の実施形態のブラケット１０ｂについて説明する。
図９は、ブラケット１０ｂの斜視図である。ブラケット１０ｂは、壁面Ｗに固定される取付部４６、棒状体Ｂを保持するための保持部４８、取付部４６と保持部４８とを連結する連結部５０、および取付部４６に被せられるカバー５２を含む。取付部４６は、ブラケット１０ｂを壁面Ｗに取り付ける際に用いる固定部材としてのボルト５４（図１０参照）が螺入される取付孔５６を４つ有する。連結部５０は、円筒部５８および下面の縁が取付部４６と一体化されている円錐台部６０を含む。また、カバー５２は連結部５０を挿通するための挿通孔６２を有する。
【００３９】
図１０は、図９のブラケット１０ｂの分解斜視図である。説明の便宜上、図１０において取付部４６と連結部５０の円錐台部６０とは分解されているが、上述のように、この実施形態において取付部４６と円錐台部６０とは一体的に形成されている。
【００４０】
取付部４６の外形は、壁面Ｗに接触する面を底面として上から見ると円形であり、取付孔５６は、連結部５０の円錐台部６０を囲むように４つ設けられている。保持部４８は、棒状体Ｂを挿入する円形の開口部６４、および保持部４８と連結部５０とを接続するための固定部材としてのボルト６６が螺入される接続孔６８を有し、内部が空洞の球形状に形成されている。
【００４１】
連結部５０は円筒部５８、および取付部４６と一体化されている円錐台部６０を含む。円筒部５８は、取り外し可能な上板７０を含み、上板７０の中心にはボルト６６が螺入される接続孔７２が設けられる。下面開口の円錐台部６０の上面７４にはボルト６６が螺入される接続孔７６が設けられる。
【００４２】
カバー５２は、取付部４６と同様の外形で、連結部５０を挿通するための円形の挿通孔６２を有し円環状に形成され、取付部４６に被せられる。挿通孔６２は取付部４６および保持部４８に比べて小さいので、取付部４６および保持部４８は挿通孔６２を通ることはできない。そのため、挿通孔６２に連結部５０を挿通し、保持部４８、円筒部５８、および下面が取付部４６と一体化されている円錐台部６０を接続すると、カバー５２は連結部５０に保持される。カバー５２は、取付部４６が壁面Ｗに固定されているとき、取付部４６に被せられる。カバー５２の下面には、たとえば両面テープが貼付されており、その両面テープによってカバー５２は取付部４６に固着される。
【００４３】
保持部４８と円筒部５８と円錐台部６０とを接続するには、カバー５２の挿通孔６２に連結部５０を挿通した後、取付部４６と一体化されている円錐台部６０の上面の接続孔７６に、ボルト６６を取付部４６の底面側から挿入する。接続孔７６から出たボルト６６は、円筒部５８の接続孔７２を通り、保持部４８の接続孔６８を通ってナット７８によって締め付けられる。
【００４４】
この実施形態でも、取付部４６を壁面Ｗに固定するためのボルト５４の頭部を覆い隠すことができ、一点部品で構成されたカバー５２によってブラケット１０ｂの美観を向上させることができる。また、カバー５２は、挿通孔６２に連結部５０を挿通し、保持部４８、円筒部５８、および取付部４６と一体化されている円錐台部６０を接続すると連結部５０に保持されるので、カバー５２はブラケット１０ｂの他の部材と別体になることがない。よって、カバー５２の紛失を防止でき、カバー５２の管理が容易になる。
【００４５】
ここで、図１１は、この実施形態のブラケット１０ｂを保持部４８側から見た図である。連結部５０は円筒部５８のような細径部を有するため、カバー５２の内縁を連結部５０の細径部に接触させると、取付部４６に設けられた取付孔５６が、取付部４６を壁面Ｗに固定するためのボルト５６が螺入される方向から見て露出する。よって、取付部４６を壁面Ｗに固定するためのボルト５６を螺入すること、およびその締め付け作業において、カバー５２が邪魔にならない。したがってブラケット１０ｂを壁面Ｗに取り付けることは容易である。
【００４６】
上述したそれぞれの実施形態では、連結部と、カバーの挿通孔との隙間を埋めるようなシール部材を備えることもできる。
【００４７】
図１２は、この発明のさらにその他の実施形態のブラケット１０ｃの斜視図である。ブラケット１０ｃは、図９で示したブラケット１０ｂに上記のようなシール部材８０を適用したものである。シール部材８０によって連結部５０と、カバー８２の挿通孔８４との隙間を埋めることができるので、挿通孔８４を、図９で示したブラケット１０ｂにおける挿通孔６２よりも大きくすることができる。挿通孔８４を大きくすることで、カバー８２の内径から外径までの距離Ｄ３が小さくなるため、カバー８２の内縁を連結部５０の細径部に接触させたとき、取付部４６に設けられた取付孔５６が、取付部４６を壁面Ｗに固定するためのボルト５４が螺入される方向から見て露出しやすくなる。したがって、ブラケット１０ｃを壁面に取り付けることがより一層容易になる。
【００４８】
さらに、シール部材８０の色をカバー８２の色と異ならせれば、ブラケット１０ｃはツートンカラーとなり、さらに美観を向上したブラケット１０ｃを得ることができる。
【００４９】
また、このようなシール部材を、図７で示したブラケット１０ａに適用すると、カバー３８の挿通孔４０を大きくすることができる。つまり、挿通孔４０の一辺の長さ４２を大きくすることができ、連結部３６を軸としてカバー３８を回転させやすくなる。よって、取付孔２０をより露出させやすくなり、ブラケット１０ａを壁面に取り付けることがより一層容易になる。
【００５０】
このようなシール部材を備えるブラケットでは、連結部とカバーの挿通孔との隙間を埋めることができるため、挿通孔の形は連結部の軸方向の断面形状と同じである必要はなく、どのような形であっても取付部全体を覆うことができる。
【００５１】
なお、この発明のそれぞれの実施形態のブラケットにおいて、壁面Ｗに取り付けるための固定部材をボルトとしているが、取付孔に通すことのできる固定部材であればどのようなものを用いてもよい。
【符号の説明】
【００５２】
１０，１０ａ，１０ｂ，１０ｃ      ブラケット
１２，４６      取付部
１４，４８      保持部
１６，３６，５０      連結部
１８，３８，５２，８２      カバー
２０，５６      取付孔
２２，４０，６２，８４      挿通孔
２８，３４，５４，６６      ボルト
８０      シール部材
【図１】
2011052446.tif 000003
【図２】
2011052446.tif 000004
【図３】
2011052446.tif 000005
【図４】
2011052446.tif 000006
【図５】
2011052446.tif 000007
【図６】
2011052446.tif 000008
【図７】
2011052446.tif 000009
【図８】
2011052446.tif 000010
【図９】
2011052446.tif 000011
【図１０】
2011052446.tif 000012
【図１１】
2011052446.tif 000013
【図１２】
2011052446.tif 000014